(57)【特許請求の範囲】
【請求項１】
通信回線上における任意の相手先からの呼び出しに際し、その相手先に割り当てられた識別番号を上記通信回線を通じて取得する識別番号取得手段と、特定相手先の上記識別番号を登録番号として予め登録しておくことができる記憶手段とを有する通信装置であって、
特定相手先の識別番号に加えて、その識別番号とは別内容の付加番号を上記登録番号に含めて登録する場合、その識別番号と付加番号との間に区切り符号の入力余地を与えて登録番号全体を上記記憶手段に記録させる登録番号記録手段と、
上記登録番号記録手段によって記録された登録番号を上記記憶手段から読み出すとともに、その登録番号に含まれる区切り符号を基準として識別番号と付加番号とを弁別し、そうして弁別された識別番号と上記識別番号取得手段により取得された識別番号とを比較する識別番号比較手段と、
上記識別番号比較手段によって識別番号が一致するとの比較結果が得られた場合、特定相手先からの呼び出しに応じた動作を始動させる呼び出し動作制御手段とを有することを特徴とする通信装置。
【請求項２】
通信回線上における任意の相手先との間で通信を行う際、各相手先に割り当てられた識別番号を発信し、上記通信回線上における任意の相手先からの呼び出しに際し、その相手先に割り当てられた識別番号を識別番号取得手段が上記通信回線を通じて取得するとともに、特定相手先の識別番号を登録番号として予め記憶手段に登録しておくことができる通信装置であって、
特定相手先の識別番号に加えて、その識別番号とは別内容の付加番号を上記登録番号に含めて登録する場合、その識別番号と付加番号との間に区切り符号の入力余地を与えて登録番号全体を上記記憶手段に記録させる登録番号記録手段と、上記登録番号記録手段によって記録された一の登録番号を上記記憶手段から読み出し、その登録番号に含まれる区切り符号を除外して登録番号全体を発信させる登録番号発信手段とを有し、かつ、上記登録番号記録手段によって記録された登録番号を上記記憶手段から読み出すとともに、その登録番号に含まれる区切り符号を基準として識別番号と付加番号とを弁別し、そうして弁別された識別番号と上記識別番号取得手段により取得された識別番号とを比較する識別番号比較手段と、
上記識別番号比較手段によって識別番号が一致するとの比較結果が得られた場合、特定相手先からの呼び出しに応じた動作を始動させる呼び出し動作制御手段を有することを特徴とする通信装置。
【請求項３】
上記登録番号記録手段は、特定相手先に関する登録番号に関連付けて、その特定相手先の名称情報を記録させ得る、請求項２に記載の通信装置。
【請求項４】
上記識別番号比較手段は、上記記憶手段から読み出した登録番号に含まれる区切り符号直後の番号を識別番号として弁別している、請求項２または請求項３に記載の通信装置。
【請求項５】
上記呼び出し動作制御手段は、特定相手先からの呼び出しに応じて、不特定な相手先からの場合とは異なる動作を始動させる、請求項２ないし請求項４のいずれかに記載の通信装置。
【請求項６】
通信回線上における任意の相手先からの呼び出しに際し、その相手先に割り当てられた識別番号を上記通信回線を通じて取得するための識別番号取得プログラムと、特定相手先の識別番号を登録番号として予め記憶手段に登録しておくことができる通信装置を制御するためのプログラムを記憶したコンピュータ読み取り可能な記憶媒体であって、
特定相手先の識別番号に加えて、その識別番号とは別内容の付加番号を上記登録番号に含めて登録する場合、その識別番号と付加番号との間に区切り符号の入力余地を与えて登録番号全体を上記記憶手段に記録させるための登録番号記録プログラムと、
上記登録番号記録プログラムに基づいて記録された登録番号を上記記憶手段から読み出すとともに、その登録番号に含まれる区切り符号を基準として識別番号と付加番号とを弁別し、そうして弁別された識別番号と上記識別番号取得プログラムに基づいて取得された識別番号とを比較するための識別番号比較プログラムと、
上記識別番号比較プログラムに基づいて識別番号が一致するとの比較結果が得られた場合、特定相手先からの呼び出しに応じた動作を始動させるための呼び出し動作制御プログラムとを含むプログラムを記憶したことを特徴とするコンピュータ読み取り可能な記憶媒体。
【請求項７】
通信回線上における任意の相手先との間で通信を行う際、各相手先に割り当てられた識別番号を発信し、上記通信回線上における任意の相手先からの呼び出しに際し、その相手先に割り当てられた識別番号を上記通信回線を通じて取得するための識別番号取得プログラムと、特定相手先の識別番号を登録番号として予め記憶手段に登録しておくことができる通信装置を制御するためのプログラムを記憶したコンピュータ読み取り可能な記憶媒体であって、
特定相手先の識別番号に加えて、その識別番号とは別内容の付加番号を上記登録番号に含めて登録する場合、その識別番号と付加番号との間に区切り符号の入力余地を与えて登録番号全体を上記記憶手段に記録させるための登録番号記録プログラムと、上記登録番号記録プログラムに基づいて記録された一の登録番号を上記記憶手段から読み出し、その登録番号に含まれる区切り符号を除外して登録番号全体を発信させるための登録番号発信プログラムとを有し、かつ、上記登録番号記録プログラムに基づいて記録された登録番号を上記記憶手段から読み出すとともに、その登録番号に含まれる区切り符号を基準として識別番号と付加番号とを弁別し、そうして弁別された識別番号と上記識別番号取得プログラムに基づいて取得された識別番号とを比較するための識別番号比較プログラムと、
上記識別番号比較プログラムに基づいて識別番号が一致するとの比較結果が得られた場合、特定相手先からの呼び出しに応じた動作を始動させるための呼び出し動作制御プログラムを含むプログラムを記憶していることを特徴とするコンピュータ読み取り可能な記憶媒体。
【発明の詳細な説明】
【０００１】
【発明の属する技術分野】
本発明は、たとえば相手先の電話番号を識別番号として送受信可能な電話装置などに属する通信装置、およびその通信装置を制御するためのプログラムを記憶した記憶媒体に関する。
【０００２】
【従来の技術】
たとえば最近の電話装置においては、相手先の電話番号を発信するのに先だって、予め特定の相手先に関する電話番号や名前などをメモリに登録しておき、所望とする特定相手先に電話をかける場合には、メモリからその相手先の登録番号を呼び出して簡単に発信することができる電話番号登録機能が備えられている。この電話番号登録機能を活用すれば、十数桁にもわたる電話番号を入力する必要がなく、ワンプッシュ操作で簡単に使用者が選択した所望の登録番号を発信することが可能とされている。
【０００３】
一方、電話回線上において提供されるサービスの一つに、いわゆるナンバーディスプレイサービスがある。このナンバーディスプレイサービスによれば、任意の相手先から呼び出しがある場合、回線を通じてその相手先に関する電話番号が識別番号として通知され、その識別番号を受信側の電話装置にて表示させることが可能とされている。このようなサービスの提供を受ける場合、受信側の電話装置は、ナンバーディスプレイ対応の機能を備えることが必要とされている。
【０００４】
それに対して発信側では、自己の電話番号を相手先に対して通知／非通知とするといった状況を臨機応変にコントロール操作することが可能とされており、たとえば自己の電話番号を通知する場合には、「１８６」といった付加番号、逆に通知しない場合には、「１８４」といった付加番号を発信すべき相手先の電話番号の前に入力して発信すればよいとされている。したがって、電話番号登録機能を有する電話装置では、「１８６」や「１８４」といった電話番号とは無関係な付加番号までも相手先ごとに関連付けて登録番号に含めてメモリに登録しておけば、特定の相手先ごとに簡単な発信操作を行うだけで、自己の電話番号を通知／非通知として通信することが可能である。
【０００５】
さらに、ナンバーディスプレイ機能を備えた電話装置には、電話番号登録機能を利用した受信機能として、任意の相手先からの呼び出しに際し、その相手先から通知された識別番号が既にメモリに登録された登録番号と一致する場合、通常とは異なる特殊な動作を行う構成としたものもある。このような装置では、相手先からの呼び出しがある場合、その相手先から通知された識別番号とともに登録された相手先の名前がディスプレイ上に表示されたり、通常とは異なる呼出音が鳴動して予め登録した相手先からの呼び出しであることが報知されている。
【０００６】
【発明が解決しようとする課題】
しかし、上記従来の電話番号登録機能を備えた電話装置では、ナンバーディスプレイサービスなどの普及により、「１８６」や「１８４」といった付加番号が相手先の電話番号の前に付記して登録されている場合、そのような付加番号と市外局番あるいは市内局番から始まる電話番号との区別が困難になるという不都合があり、使用者が登録番号を誤読するおそれがあった。
【０００７】
また、そのような付加番号とともに登録された登録番号では、任意の相手先から呼び出しがある場合、その相手先から通知された識別番号と付加番号を含む登録番号とが一致しない事態が生じ、その結果、通常とは異なる動作が始動されないという問題があった。
【０００８】
そのような問題に対処して改良が施された従来の電話装置には、任意の相手先からの呼び出しの場合、その相手先から通知された識別番号と登録番号との下数桁のみを比較し、その下数桁の番号が一致する場合に限って通常とは異なる動作を行うものがある。しかし、下数桁の番号を比較する方式では、識別番号と登録番号とが一致する結果が得られた場合であっても、全桁数を比較すれば実際の両番号が異なる場合がある。つまり、下４桁の番号は同一であるが市外局番あるいは市内局番の異なる電話番号が存在し、そのような電話番号に該当する相手先からの呼び出しであっても、登録番号に該当する相手先であると間違って判断され、その結果、相手先の表示などにおいて誤動作するという不都合があった。
【０００９】
要するに、メモリに登録する登録番号として、相手先からの呼び出しに応じて取得され得る識別番号と、その前に付記される付加番号とを連続させて登録した場合、使用者により登録番号が誤読されるおそれがある一方、装置側においてもそのような登録番号に基づく動作に際して誤動作の原因となる問題があった。
【００１０】
本発明は、上記の点に鑑みて提案されたものであって、識別番号とは別内容の付加番号を登録番号に含める場合、それに伴って生ずる各種の問題を解決することができる通信装置、およびその通信装置を制御するためのプログラムを記憶した記憶媒体を提供することを目的とする。
【００１１】
【課題を解決するための手段】
上記の目的を達成するために、請求項１に記載した発明の通信装置は、通信回線上における任意の相手先からの呼び出しに際し、その相手先に割り当てられた識別番号を上記通信回線を通じて取得する識別番号取得手段と、特定相手先の上記識別番号を登録番号として予め登録しておくことができる記憶手段とを有する通信装置であって、特定相手先の識別番号に加えて、その識別番号とは別内容の付加番号を上記登録番号に含めて登録する場合、その識別番号と付加番号との間に区切り符号の入力余地を与えて登録番号全体を上記記憶手段に記録させる登録番号記録手段と、上記登録番号記録手段によって記録された登録番号を上記記憶手段から読み出すとともに、その登録番号に含まれる区切り符号を基準として識別番号と付加番号とを弁別し、そうして弁別された識別番号と上記識別番号取得手段により取得された識別番号とを比較する識別番号比較手段と、上記識別番号比較手段によって識別番号が一致するとの比較結果が得られた場合、特定相手先からの呼び出しに応じた動作を始動させる呼び出し動作制御手段とを有することを特徴としている。
【００１２】
このような通信装置によれば、識別番号とは別内容の付加番号を登録番号に含めて登録する場合、識別番号と付加番号との間に区切り符号を挿入した状態で登録することができ、登録番号を発信する際には、任意の相手先からの呼び出しに際し、その相手先からの通知により取得された識別番号と、登録番号中において区切り符号を基準に弁別された識別番号とが比較され、両識別番号が一致するとの比較結果が得られた場合、特定相手先からの呼び出しに応じた動作が始動する。つまり、現時点での呼び出し元である相手先の識別番号と、予め登録した相手先の識別番号とが確実に一致する場合にのみ、特定相手先からの呼び出しに応じて通常とは異なる動作が始動されるので、登録番号に識別番号とは別の付加番号が含まれていても、そのような登録番号に基づく動作に際して識別番号のみが比較対象とされ、識別番号のみの比較結果に応じて通常動作、あるいは通常とは異なる動作が制御されることで、特定相手先から呼び出された場合における誤動作を確実に防止することができる。
【００１３】
また、請求項２に記載した発明の通信装置は、通信回線上における任意の相手先との間で通信を行う際、各相手先に割り当てられた識別番号を発信し、上記通信回線上における任意の相手先からの呼び出しに際し、その相手先に割り当てられた識別番号を識別番号取得手段が上記通信回線を通じて取得するとともに、特定相手先の識別番号を登録番号として予め記憶手段に登録しておくことができる通信装置であって、特定相手先の識別番号に加えて、その識別番号とは別内容の付加番号を上記登録番号に含めて登録する場合、その識別番号と付加番号との間に区切り符号の入力余地を与えて登録番号全体を上記記憶手段に記録させる登録番号記録手段と、上記登録番号記録手段によって記録された一の登録番号を上記記憶手段から読み出し、その登録番号に含まれる区切り符号を除外して登録番号全体を発信させる登録番号発信手段とを有し、かつ、上記登録番号記録手段によって記録された登録番号を上記記憶手段から読み出すとともに、その登録番号に含まれる区切り符号を基準として識別番号と付加番号とを弁別し、そうして弁別された識別番号と上記識別番号取得手段により取得された識別番号とを比較する識別番号比較手段と、上記識別番号比較手段によって識別番号が一致するとの比較結果が得られた場合、特定相手先からの呼び出しに応じた動作を始動させる呼び出し動作制御手段を有することを特徴としている。
【００１４】
このような通信装置によれば、識別番号とは別内容の付加番号を登録番号に含めて登録する場合、識別番号と付加番号との間に区切り符号を挿入した状態で登録することができ、登録番号を発信する際には、区切り符号が除外されて付加番号および識別番号が発信されるので、使用者は、識別番号と付加番号とを区切り符号を境界として簡単に見分けることができ、使用者により登録番号が誤読されるおそれもなく、付加番号を含む登録番号全体を確実に発信することができるとともに、識別番号と付加番号との間に区切り符号が挿入された状態で登録番号が登録されている場合、任意の相手先からの呼び出しに際し、その相手先からの通知により取得された識別番号と、登録番号中において区切り符号を基準に弁別された識別番号とが比較され、両識別番号が一致するとの比較結果が得られた場合、特定相手先からの呼び出しに応じた動作が始動する。つまり、現時点での呼び出し元である相手先の識別番号と、予め登録した相手先の識別番号とが確実に一致する場合にのみ、特定相手先からの呼び出しに応じて通常とは異なる動作が始動されるので、登録番号に識別番号とは別の付加番号が含まれていても、そのような登録番号に基づく動作に際して識別番号のみが比較対照とされ、識別番号のみの比較結果に応じて通常動作、あるいは通常とは異なる動作が制御されることで、特定相手先から呼び出された場合における誤動作を確実に防止することができる。
【００１５】
さらに、請求項３に記載した発明の通信装置は、請求項２に記載の通信装置であって、上記登録番号記録手段は、特定相手先に関する登録番号に関連付けて、その特定相手先の名称情報を記録させ得る。
【００１６】
このような通信装置によれば、請求項２に記載の通信装置による効果に加えて、記憶手段に登録番号だけでなく、その登録番号に関連した特定相手先の名称情報を記録しておくことができるので、記憶手段から一の登録番号を読み出して表示させる際には、その登録番号に該当する特定相手先の名称情報も表示させることができ、使用者は、表示された登録番号とともに名称情報に基づいて特定相手先の名前などを確認することができる。
【００１７】
また、請求項４に記載した発明の通信装置は、請求項２または請求項３のいずれかに記載の通信装置であって、上記識別番号比較手段は、上記記憶手段から読み出した登録番号に含まれる区切り符号直後の番号を識別番号として弁別している。
【００１８】
このような通信装置によれば、請求項２または請求項３に記載の通信装置による効果に加えて、任意の相手先から取得された識別番号と、登録番号に含まれる識別番号とが比較される際、その登録番号に含まれる区切り符号直後の番号が識別番号として比較対照とされるので、たとえば現行の電話回線の利用に際して必要な電話番号を識別番号に対応させることができる。つまり、通常の電話番号に含まれる市外局番の直前に区切り符号を挿入し、たとえばナンバーディスプレイサービスによる「１８６」や「１８４」といった番号、あるいは格安回線選択に必要な「００７７」や「００８８」などといったローミング契約による番号を付加番号として登録番号に含めることができ、本通信装置を現行の電話回線を利用した電話装置として有効に用いることができる。
【００１９】
さらに、請求項５に記載した発明の通信装置は、請求項２ないし請求項４のいずれかに記載の通信装置であって、上記呼び出し動作制御手段は、特定相手先からの呼び出しに応じて、不特定な相手先からの場合とは異なる動作を始動させる。
【００２０】
このような通信装置によれば、請求項２ないし請求項４のいずれかに記載の通信装置による効果に加えて、登録番号に該当する特定相手先から呼び出しがある場合と、登録番号に登録されていない不特定な相手先から呼び出しがある場合とで、各呼び出しに応じた動作が異なるので、たとえば相手先からの呼び出しに応じて呼出音を鳴り分ける動作としておけば、使用者は、任意の相手先からの呼び出しに際して特定の相手先かまたは、不特定な相手先かを呼出音に基づいて聞き分けることができる。
【００２１】
また、請求項６に記載した発明の記憶媒体は、通信回線上における任意の相手先からの呼び出しに際し、その相手先に割り当てられた識別番号を上記通信回線を通じて取得するための識別番号取得プログラムと、特定相手先の識別番号を登録番号として予め記憶手段に登録しておくことができる通信装置を制御するためのプログラムを記憶したコンピュータ読み取り可能な記憶媒体であって、特定相手先の識別番号に加えて、その識別番号とは別内容の付加番号を上記登録番号に含めて登録する場合、その識別番号と付加番号との間に区切り符号の入力余地を与えて登録番号全体を上記記憶手段に記録させるための登録番号記録プログラムと、上記登録番号記録プログラムに基づいて記録された登録番号を上記記憶手段から読み出すとともに、その登録番号に含まれる区切り符号を基準として識別番号と付加番号とを弁別し、そうして弁別された識別番号と上記識別番号取得プログラムに基づいて取得された識別番号とを比較するための識別番号比較プログラムと、上記識別番号比較プログラムに基づいて識別番号が一致するとの比較結果が得られた場合、特定相手先からの呼び出しに応じた動作を始動させるための呼び出し動作制御プログラムとを含むプログラムを記憶したことを特徴としている。
【００２２】
このような記憶媒体によれば、記憶されたプログラムに基づいてＣＰＵを動作させることにより、請求項１に記載の通信装置の動作を実現することができる。
【００２３】
さらに、請求項７に記載した発明の記憶媒体は、通信回線上における任意の相手先との間で通信を行う際、各相手先に割り当てられた識別番号を発信し、上記通信回線上における任意の相手先からの呼び出しに際し、その相手先に割り当てられた識別番号を上記通信回線を通じて取得するための識別番号取得プログラムと、特定相手先の識別番号を登録番号として予め記憶手段に登録しておくことができる通信装置を制御するためのプログラムを記憶したコンピュータ読み取り可能な記憶媒体であって、特定相手先の識別番号に加えて、その識別番号とは別内容の付加番号を上記登録番号に含めて登録する場合、その識別番号と付加番号との間に区切り符号の入力余地を与えて登録番号全体を上記記憶手段に記録させるための登録番号記録プログラムと、上記登録番号記録プログラムに基づいて記録された一の登録番号を上記記憶手段から読み出し、その登録番号に含まれる区切り符号を除外して登録番号全体を発信させるための登録番号発信プログラムとを有し、かつ、上記登録番号記録プログラムに基づいて記録された登録番号を上記記憶手段から読み出すとともに、その登録番号に含まれる区切り符号を基準として識別番号と付加番号とを弁別し、そうして弁別された識別番号と上記識別番号取得プログラムに基づいて取得された識別番号とを比較するための識別番号比較プログラムと、上記識別番号比較プログラムに基づいて識別番号が一致するとの比較結果が得られた場合、特定相手先からの呼び出しに応じた動作を始動させるための呼び出し動作制御プログラムを含むプログラムを記憶したことを特徴としている。
【００２４】
このような記憶媒体によれば、記憶されたプログラムに基づいてＣＰＵを動作させることにより、請求項２に記載の通信装置の動作を実現することができる。
【００２５】
【発明の実施の形態】
以下、本発明の好ましい実施の形態について図面を参照して具体的に説明する。
【００２６】
図１は、本発明にかかる通信装置をファクシミリ装置に適用した場合の一実施形態を示した回路ブロック図であって、この図に示すファクシミリ装置は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、読取部１１、記録部１２、操作部１３、および表示部１４を具備して構成されている。ＣＰＵ１、ＮＣＵ２、ＲＡＭ３、モデム４、ＲＯＭ５、ＥＥＰＲＯＭ６、ゲートアレイ７、コーデック８、およびＤＭＡＣ９は、バス線１５により相互に接続されている。バス線１５には、アドレスバス、データバス、および制御信号線が含まれる。ゲートアレイ７には、読取部１１、記録部１２、操作部１３、および表示部１４が接続されている。ＮＣＵ２には、電話回線１６が接続されている。
【００２７】
ＣＰＵ１は、ファクシミリ装置全体を制御する。ＮＣＵ２は、電話回線１６に接続されて網制御を行う。なお、ＮＣＵ２には、図示省略するが送受話器や呼出時に呼出音を鳴動するための呼出ベルが備えられている。ＲＡＭ３は、充電電池などにより電源バックアップが施されており、ＣＰＵ１の作業領域や各種データなどの記録領域を提供する。モデム４は、ファクシミリデータの変調や復調などを行う一方、後述するコーラＩＤ信号を復調する機能を有している。ＲＯＭ５は、各種のプログラムや設定値などのデータを記憶している。ＥＥＰＲＯＭ６は、各種のフラグや設定データなどを記憶する。ゲートアレイ７は、ＣＰＵ１の入出力インターフェースとして機能する。コーデック８は、ファクシミリデータの符号化や復号化を行う。ＤＭＡＣ９は、ＲＡＭ３へのデータの書き込みや読み出しを行う。
【００２８】
読取部１１は、光源やイメージセンサなどを備えており、読取原稿から画像を読み取って画像信号を出力する。記録部１２は、たとえばインクジェット方式などの印刷装置を備えており、記録用紙上に印刷画像を形成する。操作部１３は、キースイッチ群を備えており、使用者の入力操作に応じた入力信号を出力する。表示部１４は、各種の文字情報や後述する識別番号などを表示するためのＬＣＤなどを備えている。
【００２９】
本発明の要点について説明すると、本ファクシミリ装置のＥＥＰＲＯＭ６には、使用者の設定登録操作により、所望とする特定相手先の名前などとともに、その相手先の電話番号（以下、「識別番号」という）が登録番号として予め登録されている。特定相手先に電話をかける場合には、ＥＥＰＲＯＭ６からその相手先の登録番号を呼び出し、ワンプッシュ操作で簡単に発信することが可能とされている。登録番号を発信する際、ＣＰＵ１は、その登録番号の最上位の桁から順次ダイヤル信号として電話回線１６上に送出すべくＮＣＵ２を制御する。また、本ファクシミリ装置には、任意の相手先から呼び出しがあった場合、電話回線１６を通じてその相手先に関する通知情報として相手先の識別番号を取得し、その識別番号を表示部１４にて表示することができる、いわゆるナンバーディスプレイ機能が備えられている。また、一般的な電話装置では、全ての相手先からの呼び出しに応じて一律した調子で呼出音が鳴動するが、本ファクシミリ装置では、上記登録番号に基づいて使用者が特定した相手先から呼び出しがあった場合、通常とは異なる呼出音を鳴動させる機能が備えられている。なお、ナンバーディスプレイ機能に基づいて取得され得る識別番号は、市外局番および市内局番などの番号に加えて、各局管内にて割り当てられた下４桁の番号を含んで構成されている。
【００３０】
さらに、本ファクシミリ装置を発信側の端末装置として用いる場合、使用者は、自己の識別番号を相手先に対して通知／非通知とするといった状況を操作に応じて変更可能とされており、たとえば自己の識別番号を通知する場合には、「１８６」といった付加番号、逆に通知しない場合には、「１８４」といった付加番号を相手先の電話番号の前に入力して発信すればよいとされている。そこで、本ファクシミリ装置では、「１８６」や「１８４」といった識別番号とは無関係な付加番号までも相手先ごとに関連付けて登録番号に含めてＥＥＰＲＯＭ６に登録することができる。そのような付加番号を登録番号に含めて登録する場合、使用者は、付加番号と識別番号との間にスペース（区切り符号）を挿入すればよいとされている。そして、本ファクシミリ装置から一の登録番号を発信する際、ＣＰＵ１は、その登録番号に含まれる全てのキャラクタ情報を読み出すとともに、そのキャラクタ情報からスペースを除外した残りの情報、すなわち、付加番号および識別番号からなる連続番号をダイヤル信号として電話回線１６上に送出させるべくＮＣＵ２を制御する。
【００３１】
一方、付加番号と識別番号との間にスペースを有する登録番号がＥＥＰＲＯＭ６に登録されている場合、任意の相手先からの呼び出しに際し、ＣＰＵ１は、その相手先からの通知により取得した識別番号と、登録番号中においてスペースを基準に弁別した識別番号とを比較する。そして、電話回線を通じて取得した識別番号と登録番号から求めた識別番号とが一致するとの比較結果が得られた場合、ＣＰＵ１は、特定相手先からの呼び出しに応じた動作を始動させる。つまり、ＣＰＵ１は、現時点での呼び出し元である相手先の識別番号と、登録番号に含まれる相手先の識別番号とが確実に一致する場合にのみ、特定相手先からの呼び出しに応じて通常とは異なる呼出音を鳴動させるとともに、その特定相手先の登録番号とともに登録された相手先の名前をＥＥＰＲＯＭ６から読み出して表示部１４にて表示させる。
【００３２】
すなわち、ＥＥＰＲＯＭ６は、特定相手先の識別番号を登録番号として予め登録しておくための記憶手段を実現している。
【００３３】
ＣＰＵ１は、特定相手先の識別番号に加えて、その識別番号とは別内容の付加番号を登録番号に含めて登録する場合、その識別番号と付加番号との間に区切り符号の入力余地を与えて登録番号全体を記憶手段に記録させる登録番号記録手段と、登録番号記録手段によって記録された一の登録番号を記憶手段から読み出し、その登録番号に含まれる区切り符号を除外して登録番号全体を発信させる登録番号発信手段とを実現している。
【００３４】
また、ＣＰＵ１は、通信回線上における任意の相手先からの呼び出しに際し、その相手先に割り当てられた識別番号を上記通信回線を通じて取得する識別番号取得手段と、登録番号記録手段によって記録された登録番号を記憶手段から読み出すとともに、その登録番号に含まれる区切り符号を基準として識別番号と付加番号とを弁別し、そうして弁別された識別番号と識別番号取得手段により取得された識別番号とを比較する識別番号比較手段と、識別番号比較手段によって識別番号が一致するとの比較結果が得られた場合、特定相手先からの呼び出しに応じた動作を始動させる呼び出し動作制御手段とを実現している。
【００３５】
ＲＯＭ５は、通信回線上における任意の相手先との間で通信を行う際、各相手先に割り当てられた識別番号を発信するとともに、特定相手先の識別番号を登録番号として予め記憶手段に登録しておくことができる通信装置を制御するためのプログラムを記憶した記憶媒体であって、特定相手先の識別番号に加えて、その識別番号とは別内容の付加番号を上記登録番号に含めて登録する場合、その識別番号と付加番号との間に区切り符号の入力余地を与えて登録番号全体を上記記憶手段に記録させるための登録番号記録プログラムと、上記登録番号記録プログラムに基づいて記録された一の登録番号を上記記憶手段から読み出し、その登録番号に含まれる区切り符号を除外して登録番号全体を発信させるための登録番号発信プログラムとを含むプログラムを記憶した記憶媒体を実現している。
【００３６】
また、ＲＯＭ５は、通信回線上における任意の相手先からの呼び出しに際し、その相手先に割り当てられた識別番号を上記通信回線を通じて取得するための識別番号取得プログラムと、上記登録番号記録プログラムに基づいて記録された登録番号を上記記憶手段から読み出すとともに、その登録番号に含まれる区切り符号を基準として識別番号と付加番号とを弁別し、そうして弁別された識別番号と上記識別番号取得プログラムに基づいて取得された識別番号とを比較するための識別番号比較プログラムと、上記識別番号比較プログラムに基づいて識別番号が一致するとの比較結果が得られた場合、特定相手先からの呼び出しに応じた動作を始動させるための呼び出し動作制御プログラムとを含むプログラムを記憶した記憶媒体を実現している。
【００３７】
次に、上記構成を有するファクシミリ装置の動作について図面を参照して説明する。
【００３８】
図２は、相手先登録処理におけるＣＰＵ１の動作手順を示したフローチャートであって、この図に示す相手先登録処理は、一般的な順序で動作が行われる場合の一例を示したものであり、必ずしもこの図に示す順序であるとは限らない。
【００３９】
図２に示すように、まず、ＣＰＵ１は、待機時などにおいて使用者により相手先に関する登録モードが選択されたか否かを判断している（Ｓ１）。
【００４０】
登録モードが選択された場合（Ｓ１：ＹＥＳ）、ＣＰＵ１は、通常待機時において現在時刻などを表示部１４にて表示させた状態から、表示部１４の表示領域第１行目にカーソルのみを表示させた状態とする（Ｓ２）。これにより、使用者は、カーソル位置から相手先の識別番号、ここでは電話番号を入力することが可能となる。
【００４１】
続いて、ＣＰＵ１は、使用者がテンキーなどを入力操作することで、数字が入力されたか否かを判断する（Ｓ３）。
【００４２】
数字が入力された場合（Ｓ３：ＹＥＳ）、ＣＰＵ１は、入力数字表示処理を行う（Ｓ４）。この入力数字表示処理とは、使用者により入力された数字を順次横並びに表示部１４にて表示させる処理であって、この際、入力される数字列としては、上述した付加番号および識別番号が挙げられる。また、付加番号と識別番号との間には、使用者の入力操作に応じてスペースが挿入されるが、このとき、ＣＰＵ１は、スペースの入力に対応して付加番号と識別番号との間をブランク（空白）として表示させる。
【００４３】
その後、ＣＰＵ１は、使用者により所定のキーが操作されることで名前入力モードが選択されたか否かを判断する（Ｓ５）。
【００４４】
名前入力モードが選択されると（Ｓ５：ＹＥＳ）、ＣＰＵ１は、数字列の表示により第１行目に表示されていたカーソルを第２行目に表示させる（Ｓ６）。これにより、使用者は、カーソル位置から相手先に関する名前などを入力することが可能となる。
【００４５】
続いて、ＣＰＵ１は、使用者が名前入力キーに機能変更されたテンキーなどを入力操作することで、文字が入力されたか否かを判断する（Ｓ７）。この名前入力モードにおいては、各テンキーが五十音図の各行に対応付けられ、たとえば「１」のキーを続けて押下することにより、「ア」、「イ」、「ウ」、…の順にア行の文字が選択可能とされている。
【００４６】
文字が入力された場合（Ｓ７：ＹＥＳ）、ＣＰＵ１は、入力文字表示処理を行う（Ｓ８）。この入力文字表示処理とは、使用者により入力された文字を順次横並びに表示部１４にて表示させる処理であって、この際、入力された文字列により相手先の名前などが表現される。
【００４７】
その後、ＣＰＵ１は、使用者による所定キーの操作に応じて登録を完了したか否かを判断する（Ｓ９）。
【００４８】
使用者により登録完了に応じた操作がなされた場合（Ｓ９：ＹＥＳ）、ＣＰＵ１は、相手先情報登録処理を実行し（Ｓ１０）、この相手先登録処理にかかるプログラムの実行を終了して再び元の待機状態となる。この相手先情報登録処理とは、Ｓ４およびＳ８で入力表示された数字列や文字列をそれぞれ登録番号および相手先に関する名称情報としてワンプッシュの番号、あるいは電話帳の管理番号に対応付けた状態でＥＥＰＲＯＭ６に記憶させる処理であって、ＥＥＰＲＯＭ６に記憶された登録番号および名称情報は、ファクシミリ装置を電源断しても記憶に残る。また、登録番号には、付加番号および識別番号が含まれるが、付加番号と識別番号との間に挿入されたスペースも登録番号に含まれた状態で記憶される。
【００４９】
Ｓ９において、使用者により登録完了に応じた操作がなされない場合（Ｓ９：ＮＯ）、ＣＰＵ１は、Ｓ７に戻って使用者による文字入力を待つ。
【００５０】
Ｓ７において、文字が入力されない場合（Ｓ７：ＮＯ）、ＣＰＵ１は、Ｓ８の入力文字表示処理を行うことなく、Ｓ９にジャンプして登録完了の判断を行う。
【００５１】
Ｓ５において、名前入力モードが選択されない場合（Ｓ５：ＮＯ）、ＣＰＵ１は、Ｓ３に戻って使用者による数字入力を待つ。
【００５２】
Ｓ３において、数字が入力されない場合（Ｓ３：ＮＯ）、ＣＰＵ１は、Ｓ４の入力数字表示処理を行うことなく、Ｓ５にジャンプして名前入力モードが選択されたか否かの判断を行う。
【００５３】
Ｓ１において、登録モードが選択されない場合（Ｓ１：ＮＯ）、ＣＰＵ１は、使用者により登録モードが選択されるまで待機状態を続ける。
【００５４】
以上の一連の処理により、ＥＥＰＲＯＭ６に登録された登録番号は、以下に示す図３の手順にて電話回線１６上に送出される。
【００５５】
図３は、登録番号発信処理におけるＣＰＵ１の動作手順を示したフローチャートであって、この図に示す登録番号発信処理は、一般的な順序で動作が行われる場合の一例を示したものであり、必ずしもこの図に示す順序であるとは限らない。
【００５６】
登録番号発信処理において、ＣＰＵ１は、待機時などにおいて使用者により登録番号を検索するモードが選択されたか否かを判断している（Ｓ２１）。
【００５７】
検索モードが選択された場合（Ｓ２１：ＹＥＳ）、ＣＰＵ１は、表示部１４にて検索モードにおける初期画面を表示させる（Ｓ２２）。
【００５８】
その後、ＣＰＵ１は、使用者により登録番号をスクロール表示させるための操作がなされたか否かを判断する（Ｓ２３）。
【００５９】
スクロール操作がなされた場合（Ｓ２３：ＹＥＳ）、ＣＰＵ１は、登録番号および相手先の名前をスクロール表示させる処理を行う（Ｓ２４）。このスクロール表示処理とは、使用者によりスクロール操作された回数に応じて、登録番号および相手先の名称情報をＥＥＰＲＯＭ６から読み出し、それら登録番号などを表示部１４にて順番に表示させる処理である。この際、一の登録番号中にスペースで区切られた付加番号および識別番号が含まれている場合、その登録番号の表示状態を例示すると、「１８６  ０１２３４５６７８９」といった表示となる。ここで、「１８６」が付加番号に相当するとともに、「０１２３４５６７８９」が相手先の識別番号に相当する。なお、スクロール表示させる順番は、相手先名に応じた五十音順であってもよいし、管理番号順であってもよい。また、管理番号をテンキーによって直接入力することにより、表示内容がスキップするようにしてもよい。
【００６０】
スクロール操作に応じて一の登録番号および相手先名が表示されている間、ＣＰＵ１は、使用者により発信操作がなされたか否かを判断している（Ｓ２５）。
【００６１】
発信操作がなされた場合（Ｓ２５：ＹＥＳ）、ＣＰＵ１は、Ｓ２４にて表示された登録番号をダイヤル信号として電話回線１６上に送出させる発信処理を行い（Ｓ２６）、その後、ＣＰＵ１は、この登録番号発信処理プログラムの実行を終了して次の動作となる図示しない呼び出し処理などに移る。この発信処理において、ＣＰＵ１は、ＮＣＵ２を制御することで発信操作時点で表示されている登録番号をダイヤル信号として送出させるが、さらに具体的にいうと、登録番号に含まれる付加番号と識別番号は、その付加番号を先頭に連続したダイヤル信号として送出される。その一方、付加番号と識別番号との間に挿入されたスペースに相当する情報は、ＣＰＵ１の制御により送出すべきダイヤル信号から除外される。これにより、たとえば、「１８６」といった付加番号を含む登録番号が発信された場合には、本ファクシミリ装置の利用回線に割り当てられた識別番号が相手先に通知される状態でその相手先を呼び出す状況となり、他の「１８４」といった付加番号を含む登録番号の発信では、識別番号が非通知の状態で相手先を呼び出す状況となる。
【００６２】
Ｓ２５において、発信操作がなされない場合（Ｓ２５：ＮＯ）、ＣＰＵ１は、Ｓ２３に戻って使用者によるスクロール操作の有無を判断する。
【００６３】
Ｓ２３において、スクロール操作がされない場合（Ｓ２３：ＮＯ）、ＣＰＵ１は、Ｓ２４のスクロール表示処理を行うことなくＳ２５にジャンプする。
【００６４】
Ｓ２１において、検索モードが選択されない場合（Ｓ２１：ＮＯ）、ＣＰＵ１は、使用者により検索モードが選択されるまで待機状態を続ける。
【００６５】
以上図２および図３に基づいて説明した動作は、主に発信側の端末装置としての動作であるが、次に受信側の端末装置として働く場合の動作について説明する。
【００６６】
図４は、呼出応答処理におけるＣＰＵ１の動作手順を示したフローチャートであって、この図に示す呼出応答処理は、一般的な順序で動作が行われる場合の一例を示したものであり、必ずしもこの図に示す順序であるとは限らない。
【００６７】
図４に示すように、まず、ＣＰＵ１は、電話回線１６を通じて任意の相手先から起動信号を受信したか否かを判断している（Ｓ３１）。
【００６８】
起動信号を受信した場合（Ｓ３１：ＹＥＳ）、ＣＰＵ１は、その起動信号とともにコーラＩＤ信号を受信したか否かを判断する（Ｓ３２）。このコーラＩＤ信号とは、呼び出し元の相手先に関する通知情報としてその相手先の識別番号、ここでは電話番号を内容とした信号であって、その信号に含まれる内容は、モデム４によりデジタルデータに変換可能とされている。
【００６９】
そうしてコーラＩＤ信号を受信した場合（Ｓ３２：ＹＥＳ）、ＣＰＵ１は、一時的に電話回線１６を閉結させた状態とし（Ｓ３３）、ＮＣＵ２を介して取り込んだコーラＩＤ信号をモデム４により復調させることで相手先から通知された識別番号を取得する（Ｓ３４）。こうして取得された識別番号は、一時的にＲＡＭ３に記憶され、その識別番号には、市外局番および市内局番に加えて相手先に割り当てられた個別番号が含まれている。
【００７０】
識別番号を取得したＣＰＵ１は、この呼出応答処理が開始される前の状態と同様に、電話回線１６から開放された状態とする（Ｓ３５）。ここまでのＳ３３からＳ３５までの動作は、使用者から見て非常に短いサイクルタイムで行われる。
【００７１】
その後、ＣＰＵ１は、取得した識別番号を表示部１４にて表示させる（Ｓ３６）。
【００７２】
識別番号を表示させたＣＰＵ１は、予め設定登録された登録番号をＥＥＰＲＯＭ６から読み出し、その登録番号とＳ４の処理によって取得した識別番号とが部分的に一致するか否か比較する（Ｓ３７）。この登録番号とは、先述したように、付加番号と識別番号との間にスペースを含む番号であって、ＣＰＵ１は、そのスペース直後に登録されている番号を比較対照となる識別番号として弁別し、そうして弁別した識別番号と取得した識別番号とが完全に一致するか否かを判別する。なお、登録番号中に付加番号が含まれない場合、ＣＰＵ１は、登録番号全体を比較対照として識別番号が一致するか否かの判別を行う。
【００７３】
識別番号が登録番号と部分的に一致する場合（Ｓ３７：ＹＥＳ）、つまり、登録番号中においてスペースにより区切られた識別番号と、取得した識別番号とが完全に一致する場合、ＣＰＵ１は、一致する登録番号に関連付けて登録された相手先の名称情報をＥＥＰＲＯＭ６から読み出すとともに、その名称情報に基づいて相手先の名前を表示部１４にて表示させる（Ｓ３８）。
【００７４】
そして、呼出信号の受信に応じて、ＣＰＵ１は、ＮＣＵ２を制御して特定相手先からの呼び出しに応じた通常とは異なる呼出音を鳴動させる（Ｓ３９）。これにより、使用者は、相手先名の表示に応じて特定相手先からの呼び出しであることを見分けることができるとともに、通常とは異なる呼出音の鳴動に応じて特定相手先からの呼び出しであることを聞き分けることができる。
【００７５】
通常とは異なる特定の呼出音を鳴動させた後、ＣＰＵ１は、Ｓ４にて取得した識別番号を履歴番号としてＥＥＰＲＯＭ６に記録させる（Ｓ４０）。なお、ここまでのＳ３７からＳ４０までの動作は、使用者から見て非常に短いサイクルタイムで行われる。
【００７６】
識別番号の記録を終えたＣＰＵ１は、相手先から一方的に回線切断要求を内容とした切断信号を受信したか否かを判断する（Ｓ４１）。
【００７７】
相手先から切断信号を受信しない場合（Ｓ４１：ＮＯ）、ＣＰＵ１は、送受話器などが使用者により持ち上げられることによりオフフックされたか否かを判断する（Ｓ４２）。
【００７８】
通常とは異なる呼出音が鳴動することなどで特定相手先からの呼び出しが報知される状況の中、使用者によってオフフックされた場合（Ｓ４２：ＹＥＳ）、ＣＰＵ１は、回線を閉結させるとともに（Ｓ４３）、それとほぼ同時に呼出音の鳴動や識別番号の表示などの動作を停止させる処理を行う（Ｓ４４）。これにより、使用者の取り次ぎ操作に応じて特定相手先と電話回線１６を通じて音声信号などを双方向に伝送可能な通話処理が行われることとなる。
【００７９】
以上のような処理動作中、ＣＰＵ１は、通話を終了した使用者によって送受話器などが元のセット位置に置かれることでオンフックされたか否かを判断している（Ｓ４５）。
【００８０】
オンフックされた場合（Ｓ４５：ＹＥＳ）、ＣＰＵ１は、電話回線１６から開放させた状態とし（Ｓ４６）、この呼出応答処理にかかるプログラムの実行を終了して再び元の待機状態となる。
【００８１】
Ｓ４５において、オンフックされない場合（Ｓ４５：ＮＯ）、ＣＰＵ１は、繰り返しオンフックされるまで通話処理を続行させる。
【００８２】
Ｓ４２において、オフフックされない場合（Ｓ４２：ＮＯ）、ＣＰＵ１は、Ｓ４１に戻って相手先から切断信号を受信するまで繰り返し呼出音の鳴動や識別番号の表示を続行させる。
【００８３】
Ｓ４１において、相手先から切断信号を受信した場合（Ｓ４１：ＹＥＳ）、ＣＰＵ１は、Ｓ４４と同様に呼出音の鳴動や識別番号の表示などの動作を停止させる処理を行い（Ｓ４７）、この呼出応答処理にかかるプログラムの実行を終了して再び元の待機状態となる。
【００８４】
Ｓ３７において、識別番号が登録番号と部分的に一致しない場合（Ｓ３７：ＹＥＳ）、つまり、全ての登録番号に含まれる識別番号と取得した識別番号とが一致しない場合、ＣＰＵ１は、ＮＣＵ２を制御して通常の呼出音を鳴動させ（Ｓ４８）、その後、Ｓ４０にジャンプする。これにより、通常の呼出音の鳴動に応じて使用者は、不特定な相手先らの呼び出しであることを聞き分けることができる。
【００８５】
Ｓ３２において、コーラＩＤ信号を受信しない場合（Ｓ３２：ＮＯ）、ＣＰＵ１は、Ｓ３６の識別番号を表示させる処理を行うことなく、Ｓ４８と同様に通常の呼出音を鳴動させる処理を行い（Ｓ４９）、その後Ｓ４１にジャンプする。
【００８６】
Ｓ３１において、起動信号を受信しない場合（Ｓ３１：ＮＯ）、ＣＰＵ１は、このＳ３１の判断を繰り返し行うことで起動信号を受信するまで待機状態を続ける。
【００８７】
したがって、上記構成、動作を有するファクシミリ装置によれば、相手先の電話番号などの識別番号とは異なる、たとえば「１８６」や「１８４」といった付加番号を登録番号に含めて登録する場合、識別番号と付加番号との間にスペースを挿入した状態でＥＥＰＲＯＭ６に登録することができる。そして、登録番号を発信する際には、ＣＰＵ１の制御によりスペースが除外されて付加番号および識別番号が連続して発信されるので、使用者は、登録番号が表示された際に識別番号と付加番号とをスペースを境界として簡単に見分けることができ、使用者により登録番号が誤読されるおそれもなく、付加番号を含む登録番号全体を確実に発信することができる。
【００８８】
また、識別番号と付加番号との間にスペースが挿入された状態で登録番号が登録されている場合、任意の相手先からの呼び出しに際し、その相手先からの通知により取得された識別番号と、登録番号中においてスペースを基準に弁別された識別番号とが比較され、両識別番号が完全に一致するとの比較結果が得られた場合にのみ、特定相手先からの呼び出しに応じた動作が始動する。つまり、現時点での呼び出し元である相手先の識別番号と、予め登録した相手先の識別番号とが確実に一致する場合にのみ、特定相手先からの呼び出しに応じて通常とは異なる動作が始動されるので、登録番号に識別番号とは異なる「１８６」や「１８４」といった付加番号が含まれていても、そのような登録番号に基づく動作に際して識別番号のみが比較対照とされ、識別番号のみの比較結果に応じて通常動作、あるいは通常とは異なる動作が制御されることで、特定相手先から呼び出された場合における誤動作を確実に防止することができる。
【００８９】
なお、本実施形態においては、主に、付加番号としてナンバーディスプレイサービスに伴う「１８６」や「１８４」といった付加番号を登録番号に含める場合について説明したが、このような付加番号とは別に、ローミング契約に伴う「００７７」や「００８８」といった番号を登録番号に含める場合においても、本ファクシミリ装置は適用可能である。
【００９０】
また、付加番号と識別番号との間には、スペースが挿入されるとして説明したが、特にそのような種類に限ることはなく、ハイフンやスラッシュなどの別の記号であってもよい。
【００９１】
さらに、上記スペースを使用者が入力するのではなく、自動的に付加番号と識別番号との間にスペースが入力された状態で登録番号が記憶されるとしてもよい。この場合、使用者が入力した登録番号の先頭に付加番号が含まれ、しかもその付加番号に連続してスペースを設けることなく識別番号が入力された場合であっても、装置自体が「１８６」や「１８４」、あるいは「００７７」や「００８８」といった付加番号を認識する機能を有することにより、自動的にスペースが付加番号と識別番号との間に補われて記憶されることとなる。
【００９２】
さらにまた、本発明の通信装置は、本実施形態で示したように、ファクシミリ装置に適用されるだけでなく、もちろん通常の据置型や携帯型の電話装置にも適用可能である。
【００９３】
【発明の効果】
以上説明したように、請求項１に記載した発明の通信装置によれば、識別番号とは別内容の付加番号を登録番号に含めて登録する場合、識別番号と付加番号との間に区切り符号を挿入した状態で登録することができ、登録番号を発信する際には、任意の相手先からの呼び出しに際し、その相手先からの通知により取得された識別番号と、登録番号中において区切り符号を基準に弁別された識別番号とが比較され、両識別番号が一致するとの比較結果が得られた場合、特定相手先からの呼び出しに応じた動作が始動する。つまり、現時点での呼び出し元である相手先の識別番号と、予め登録した相手先の識別番号とが確実に一致する場合にのみ、特定相手先からの呼び出しに応じて通常とは異なる動作が始動されるので、登録番号に識別番号とは別の付加番号が含まれていても、そのような登録番号に基づく動作に際して識別番号のみが比較対象とされ、識別番号のみの比較結果に応じて通常動作、あるいは通常とは異なる動作が制御されることで、特定相手先から呼び出された場合における誤動作を確実に防止することができる。
【００９４】
また、請求項２に記載した発明の通信装置によれば、識別番号とは別内容の付加番号を登録番号に含めて登録する場合、識別番号と付加番号との間に区切り符号を挿入した状態で登録することができ、登録番号を発信する際には、区切り符号が除外されて付加番号および識別番号が発信されるので、使用者は、識別番号と付加番号とを区切り符号を境界として簡単に見分けることができ、使用者により登録番号が誤読されるおそれもなく、付加番号を含む登録番号全体を確実に発信することができるとともに、識別番号と付加番号との間に区切り符号が挿入された状態で登録番号が登録されている場合、任意の相手先からの呼び出しに際し、その相手先からの通知により取得された識別番号と、登録番号中において区切り符号を基準に弁別された識別番号とが比較され、両識別番号が一致するとの比較結果が得られた場合、特定相手先からの呼び出しに応じた動作が始動する。つまり、現時点での呼び出し元である相手先の識別番号と、予め登録した相手先の識別番号とが確実に一致する場合にのみ、特定相手先からの呼び出しに応じて通常とは異なる動作が始動されるので、登録番号に識別番号とは別の付加番号が含まれていても、そのような登録番号に基づく動作に際して識別番号のみが比較対照とされ、識別番号のみの比較結果に応じて通常動作、あるいは通常とは異なる動作が制御されることで、特定相手先から呼び出された場合における誤動作を確実に防止することができる。
【００９５】
さらに、請求項３に記載した発明の通信装置によれば、請求項２に記載の通信装置による効果に加えて、記憶手段に登録番号だけでなく、その登録番号に関連した特定相手先の名称情報を記録しておくことができるので、記憶手段から一の登録番号を読み出して表示させる際には、その登録番号に該当する特定相手先の名称情報も表示させることができ、使用者は、表示された登録番号とともに名称情報に基づいて特定相手先の名前などを確認することができる。
【００９６】
また、請求項４に記載した発明の通信装置によれば、請求項２または請求項３に記載の通信装置による効果に加えて、任意の相手先から取得された識別番号と、登録番号に含まれる識別番号とが比較される際、その登録番号に含まれる区切り符号直後の番号が識別番号として比較対照とされるので、たとえば現行の電話回線の利用に際して必要な電話番号を識別番号に対応させることができる。つまり、通常の電話番号に含まれる市外局番の直前に区切り符号を挿入し、たとえばナンバーディスプレイサービスによる「１８６」や「１８４」といった番号、あるいは格安回線選択に必要な「００７７」や「００８８」などといったローミング契約による番号を付加番号として登録番号に含めることができ、本通信装置を現行の電話回線を利用した電話装置として有効に用いることができる。
【００９７】
さらに、請求項５に記載した発明の通信装置によれば、請求項２ないし請求項４のいずれかに記載の通信装置による効果に加えて、登録番号に該当する特定相手先から呼び出しがある場合と、登録番号に登録されていない不特定な相手先から呼び出しがある場合とで、各呼び出しに応じた動作が異なるので、たとえば相手先からの呼び出しに応じて呼出音を鳴り分ける動作としておけば、使用者は、任意の相手先からの呼び出しに際して特定の相手先かまたは、不特定な相手先かを呼出音に基づいて聞き分けることができる。
【００９８】
また、請求項６に記載した発明の記憶媒体によれば、記憶されたプログラムに基づいてＣＰＵを動作させることにより、請求項１に記載の通信装置の動作を実現することができる。
【００９９】
さらに、請求項７に記載した発明の記憶媒体によれば、記憶されたプログラムに基づいてＣＰＵを動作させることにより、請求項２に記載の通信装置の動作を実現することができる。
【図面の簡単な説明】
【図１】本発明にかかる通信装置をファクシミリ装置に適用した場合の一実施形態を示した回路ブロック図である。
【図２】相手先登録処理におけるＣＰＵの動作手順を示したフローチャートである。
【図３】登録番号発信処理におけるＣＰＵの動作手順を示したフローチャートである。
【図４】呼出応答処理におけるＣＰＵの動作手順を示したフローチャートである。
【符号の説明】
１    ＣＰＵ
２    ＮＣＵ
３    ＲＡＭ
４    モデム
５    ＲＯＭ
６    ＥＥＰＲＯＭ
７    ゲートアレイ
８    コーデック
９    ＤＭＡＣ
１１  読取部
１２  記録部
１３  操作部
１４  表示部
【図１】
0003589040.tif 000002
【図２】
0003589040.tif 000003
【図３】
0003589040.tif 000004
【図４】
0003589040.tif 000005